(57)【要約】【課題】防音ケースに装着したフィルターのエアータイトを単純な部品構成の気密部材で、確実に気密性を確保し、排気中の微粒子を低減させること。【解決手段】電動送風機１９を収容する防音ケース２７と、防音ケース２７の排気口に装着されるフィルター２０と、防音ケース２７とフィルター２０との間に配置され軟質体からなる気密部材３２とを備え、気密部材３２の断面形状は、略コの字状の基部３２ａと、基部３２ａの右側壁の外側中央部に設けた突起３２ｂと、基部３２ａの右側壁から突起３２ｂを覆う位置まで延設された薄板部３２ｃと、が一体となった形状で構成され、防音ケース２７の排気口の全周には凹部形状の溝２７ｃが設けられ、基部３２ａの２つの左端部が凹部形状の溝２７ｃに装着し、フィルターを防音ケースに装着した際、気密部材は垂直方向に圧縮され、基部の両側面が凸となる方向に変形し気密性を確保することができる。【選択図】図５
2015142625.tif 000002
【特許請求の範囲】
【請求項１】
吸引風を発生させる電動送風機を収容する防音ケースと、前記防音ケースの排気口に装着されるフィルターと、前記防音ケースと前記フィルターとの間に配置され軟質体からなる気密部材と、を備え、
前記気密部材の断面形状は、略コの字状の基部と、前記基部の右側壁の外側中央部に設けた突起と、前記基部の右側壁から前記突起を覆う位置まで延設された薄板部と、が一体となった形状で構成され、
前記防音ケースの排気口の全周には、前記気密部材が装着される凹部形状の溝が設けられ、前記基部の２つの左端部が前記凹部形状の溝に装着されたことを特徴とする電気掃除機。
【請求項２】
前記フィルターの外周には枠体を有し、前記枠体の端部にＬ字状に折り返したフランジ部を備え、前記フランジ部の平面が前記気密部材の薄板部と当接するように配置したことを特徴とする請求項１に記載の電気掃除機。
【請求項３】
前記Ｌ字状に折り返したフランジ部の折り返しリブ部の外周には、前記防音ケースに設けた穴部と係合するツメ部を備えたことを特徴とする請求項２に記載の電気掃除機。
【発明の詳細な説明】
【技術分野】
【０００１】
本発明は、電気掃除機に関するものであり、特に排気中の微粒子を低減させる構造に関するものである。
【背景技術】
【０００２】
従来、排気中の微粒子を低減させる構造を搭載する掃除機においては、電動送風機を収容する防音ケースとその防音ケースの排気部に高集塵性能を持つフィルターを備え、そのフィルターと防音ケースの間に設けた発泡スポンジ等の気密部材を前記２部品間に設け圧接することでフィルター以外からの排気漏れを防止していた（例えば、特許文献１参照）。
【先行技術文献】
【特許文献】
【０００３】
【特許文献１】特開２００４−１１３６００号公報
【特許文献２】特開２０１２−１６３６３号公報
【発明の概要】
【発明が解決しようとする課題】
【０００４】
しかしながら、従来の構造では、防音ケース内の圧力上昇により気密部材が変形し易く、また気密部材の設置は貼り付け作業によるためばらつきが発生し易く、結果として微粒子低減性能の低下が発生し易かった。また貼り付け作業には工数が多くかかるため製品価格の上昇に繋がるという課題を有していた。
【０００５】
本発明は、前記従来の課題を解決するもので、単純な部品構成で高い微粒子低減効果を実現する構造を提供することを目的とする。
【課題を解決するための手段】
【０００６】
前記従来の課題を解決するために、本発明の電気掃除機は、吸引風を発生させる電動送風機を収容する防音ケースと、前記防音ケースの排気口に装着されるフィルターと、前記防音ケースと前記フィルターとの間に配置され軟質体からなる気密部材と、を備え、前記気密部材の断面形状は、略コの字状の基部と、前記基部の右側壁の外側中央部に設けた突起と、前記基部の右側壁から前記突起を覆う位置まで延設された薄板部と、が一体となった形状で構成され、前記防音ケースの排気口の全周には、前記気密部材が装着される凹部形状の溝が設けられ、前記基部の２つの左端部が前記凹部形状の溝に装着されるものである。
【０００７】
これにより、フィルターを防音ケースに装着した際、気密部材は垂直方向に圧縮されることで基部の両側面が凸となる方向に変形し、防音ケースに設けた溝の側面と接触するため、気密性を確保することができ、その結果微粒子低減効果が向上する。
また、防音ケース内の圧力が上昇することで薄板部にはフィルターに密着する方向の荷重が加わり、その結果微粒子低減効果が向上する。
【発明の効果】
【０００８】
本発明の電気掃除機は、防音ケースに装着したフィルターのエアータイトを単純な部品構成の気密部材で、確実に気密性を確保することができるため、高い微粒子低減効果を実現することが可能となる。
【図面の簡単な説明】
【０００９】
【図１】本発明の実施の形態１における電気掃除機の全体斜視図
【図２】同電気掃除機の掃除機本体の蓋体を開けた状態での前方斜視図
【図３】同電気掃除機の掃除機本体の中央断面図
【図４】同電気掃除機の防音ケースユニットの前方斜視図
【図５】同電気掃除機の防音ケース、気密部材、フィルターを示す分解斜視図
【図６】同防音ケースユニットの中央断面図
【図７】図６に示す防音ケースユニットのＡ部拡大図
【図８】同電気掃除機の掃除機本体内を流れる気流の動きを示した動作概要図
【発明を実施するための形態】
【００１０】
第１の発明は、吸引風を発生させる電動送風機を収容する防音ケースと、前記防音ケースの排気口に装着されるフィルターと、前記防音ケースと前記フィルターとの間に配置され軟質体からなる気密部材と、を備え、前記気密部材の断面形状は、略コの字状の基部と、前記基部の右側壁の外側中央部に設けた突起と、前記基部の右側壁から前記突起を覆う位置まで延設された薄板部と、が一体となった形状で構成され、前記防音ケースの排気口の全周には、前記気密部材が装着される凹部形状の溝が設けられ、前記基部の２つの左端部が前記凹部形状の溝に装着されるものである。
【００１１】
これにより、フィルターを防音ケースに装着した際、気密部材は垂直方向に圧縮されることで基部の両側面が凸となる方向に変形し、防音ケースに設けた溝の側面と接触するため、気密性を確保することができ、その結果微粒子低減効果が向上する。
また、防音ケース内の圧力が上昇することで薄板部にはフィルターに密着する方向の荷重が加わり、その結果微粒子低減効果が向上する。
また、凹部形状の溝が設けられたことで、防音ケースの剛性が向上するため、成型時の変形や運転による熱変形などが起こりにくく、結果として微粒子低減効果が得られ易くなる。
【００１２】
第２の発明は、第１の発明の電気掃除機において、前記フィルターの外周には枠体を有し、前記枠体の端部にＬ字状に折り返したフランジ部を備え、前記フランジ部の平面が前記気密部材の薄板部と当接するように配置したものである。
【００１３】
これにより、気密部材とフィルターの枠体との接触面が拡大されるため、防音ケース内の圧力変化による前記気密部材薄板部の接触点変化や、フィルターを取り付ける際の位置ずれ等が発生しても追従し易くなる。またフィルター枠体の剛性が向上するため、ネジで締結していない部分においても防音ケース内の圧力による変形などが起こりにくく、結果として様々な使用状況において微粒子低減効果を確保できる。
【００１４】
第３の発明は、第２の発明の電気掃除機において、前記Ｌ字状に折り返したフランジ部の折り返しリブ部の外周には、前記防音ケースに設けた穴部と係合するツメ部を備えたものである。
これにより、気密部材の近傍で係合する事ができるため、防音ケース内の圧力が上昇した場合でも変形を最小限で抑えることができ、結果として微粒子低減効果を確保できる。
【００１５】
以下、本発明の実施の形態について、図面を参照しながら説明する。なお、この実施の形態によって本発明が限定されるものではない。
（実施の形態１）
本発明の実施の形態１について、図１〜図５を用いて説明する。
【００１６】
図１に示すように、本発明の電気掃除機１００は、吸引風を発生させる電動送風機１９
を内蔵する掃除機本体１と、被清掃面の塵埃を吸引する吸込具２と、一端が吸込具２に接続される延長管３と、一端が延長管３に接続され、他端が掃除機本体１に接続されるホース４から構成されている。
【００１７】
吸込具２には、被清掃面の塵埃を掻きあげる回転ブラシ（図示せず）と、前記回転ブラシを回転駆動する電動機（図示せず）と、が内蔵されている。また、ホース４の延長管３側の端部には、使用者が掃除する際に保持する把手部６を備えた先端パイプ５が設けられており、この先端パイプ５を介して延長管３とホース４とが着脱自在に接続されている。
【００１８】
さらに、ホース４の掃除機本体１側の端部には、接続パイプ７が設けられており、この接続パイプ７を介して掃除機本体１の吸気口８とホース４とが着脱自在に接続されている。そして先端にプラグ有した電源コード９により、部屋などにあるコンセントから電気を掃除機本体１に供給することができる。
【００１９】
図２に示すように、掃除機本体１は、掃除機本体１の下面を形成する下枠体１０と、掃除機本体１の上面を形成する第１の上枠体１１ａと、第１の上枠体１１ａをさらに覆うように構成された第２の上枠体１１ｂと、から構成されており、下枠体１０と第１の上枠体１１ａと第２の上枠体１１ｂは爪やネジ等によって結合されている。
【００２０】
掃除機本体１の上部、すなわち、下枠体１０の前部には、掃除機本体１を持ち運ぶ際に使用者が保持する本体ハンドル１２が取り付けられている。また、下枠体１０の後方両側面には走行用のローラー１３、下枠体１０の底面にはキャスター１５が回動自在に取り付けられている。
【００２１】
また、掃除機本体１の前方には弾性材料で形成された逆止弁１４が取り付けられており、逆止弁１４を覆うように吸気口８が取り付けられている。また、第１の上枠体１１ａの前部には蓋体１６が回動可能に取り付けられており、蓋体１６を開けると集塵装置１７が設置されている。
【００２２】
図３に示すように、掃除機本体１には集塵装置１７と電動送風機１９の仕切りを行う仕切り板１８、後部には吸引力を発生する電動送風機１９と微粒子の除去を行うフィルター２０を収納する防音ケースユニット２１、さらに後部には流入した空気を排出する排気出口２２が構成されている。
【００２３】
図５、図６に示すように電動送風機１９は、支持ゴム前２３、支持ゴム後２４、支持リング２５、支持板２６とを介して防音ケース２７に取り付けられる。
【００２４】
また、図４に示すようにフィルター２０は防音ケース２７の下方に設けた排気口２７ａに気密部材３２を介して取り付けられ、ツメ部２８、及びネジ２９で固定される。なお防音ケース２７の上方には配線を外部に引き出す穴を塞ぐ配線部蓋体３０、及び掃除機の運転状態を表示する表示基板３１が備えられている。
【００２５】
また図６のＡ部を拡大した図７に示すように、気密部材３２は、ゴムなどの軟質体で形成されており、気密部材３２の断面形状は、略コの字の基部３２ａと、基部３２ａの右側壁の外側中央部に設けた突起３２ｂと、基部３２ａの右側壁から突起３２ｂを覆い隠すように設けた薄板部３２ｃとが一体となって構成されている。
【００２６】
フィルター２０の外周には枠体２０ａを有し、前記枠体の端部にＬ字状に折り返したフランジ部２０ｂを備え、前記フランジ部２０ｂの平面部２０ｃが後述する前記気密部材３２の薄板部３２ｃと当接するように配置している。
【００２７】
前記Ｌ字状に折り返したフランジ部２０ｂの折り返しリブ部２０ｄの外周には、前記防音ケースに設けた穴部２７ｂと係合するツメ部２８を備えており、防音ケース２７とフィルター２０は、気密部材３２を介して穴部２７ｂとツメ部２８の係合及びネジ２９などの固定手段で固定されている。
【００２８】
これは、防音ケース２７とフィルター２０を固定することで防音ケース２７とフィルター２０との気密を保持でき、電動送風機１９から出る全ての排気がフィルター２０を通過することができるようにするためであり、ツメ部２８、ネジ２９などの場所、数、固定方法は適宜とする。
【００２９】
フィルター２０は、枠体２０ａ内にプリーツ状に折られたフィルター部材（例えば、ＵＬＰＡフィルターなどの高い粒子捕集率を持つフィルター部材）を備えている。
【００３０】
防音ケース２７の排気口２７ａの全周には、気密部材３２が装着される凹部形状の溝２７ｃが設けられており、略コの字の基部３２ａの２つの左端部が溝２７ｃの底面２７ｄと当接するように装着されている。
【００３１】
次に、防音ケース２７にフィルター２０を取り付けてツメ部２８とネジ２９などの固定手段により固定する際、気密部材３２の基部３２ａに薄板部３２ｃと突起３２ｂを介して垂直方向の荷重が加わる。これにより気密部材３２の基部３２ａの両側面が凸となる方向に変形し防音ケース２７に設けられた溝２７ｃの側面と接触する。
【００３２】
さらに薄板部３２ｃとフィルター２０の平面部２０ｃとが当接することによって、気密部材３２の基部３２ａと防音ケース２７の溝２７ｃの底面２７ｄとが密着する。排気部全周はこの関係で構成されており、ツメ部２８とネジ２９などの固定手段による固定によりこの関係が維持されている。
【００３３】
尚、気密部材３２を、防音ケース２７の凹部形状の溝２７ｃに挿入する際は、基部３２ａの両側面が凸となる方向に変形していないので、強い力で圧入する必要もなく、スムーズに挿入できるため、組み立て作業性も良いものである。
【００３４】
以上のように構成された電気掃除機について、その動作と作用を説明する。
【００３５】
図８に示すように、吸引力を発生する電動送風機１９により、吸気口８から吸い込まれた塵埃は集塵装置１７で濾過される。さらに、電動送風機１９により下流に送風された空気には集塵装置１７を通過した微粒子と電動送風機１９から発生されるカーボン粒子が含まれるが、フィルター２０により濾過された後、下枠体１０と第１の上枠体１１ａと仕切り板１８により誘導され本体後部の排気出口２２を通過して本体外にきれいな排気として排気される。
【００３６】
この際、電動送風機１９によって送風された空気はフィルター２０の圧力抵抗があるため防音ケース２７内の圧力を上昇させる。このため、気密部材３２の薄板部３２ｃには、フィルター２０の平面部２０ｃを押し付けるように外側に膨らもうとする力が働き、薄板部３２ｃとフィルター２０の平面部２０ｃの接触圧力を上昇させることで防音ケース内の気密性が増し集塵効率が向上する。
【００３７】
なお、フィルター部以外においても、配線を外部に引き出す穴は配線部気密部材３３により、モーター周辺は支持ゴム前２３により気密性が保持されている。このように、各部の気密性をより高めることで、電動送風機１９から出る排気のほぼ全てについてフィルタ
ー２０を通過させることができ、結果として排気のきれいな掃除機を提供することが可能となる。
【産業上の利用可能性】
【００３８】
以上のように、本発明の電気掃除機における防音ケースに装着したフィルターのエアータイトを単純な部品構成の気密部材で、確実に気密性を確保する構造は、高い気密性による空気清浄効果を実現することが可能となるため、家庭用電気掃除機及び業務用電気掃除機の分野・用途に適用することができる。
【符号の説明】
【００３９】
１  掃除機本体
２  吸込具
３  延長管
４  ホース
６  把手部
５  先端パイプ
７  接続パイプ
８  吸気口
９  電源コード
１０  下枠体
１１ａ  第１の上枠体
１１ｂ  第２の上枠体
１２  本体ハンドル
１３  ローラー
１４  逆止弁
１５  キャスター
１６  蓋体
１７  集塵装置
１８  仕切り板
１９  電動送風機
２０  フィルター
２０ａ  枠体
２０ｂ  フランジ部
２０ｃ  平面部
２０ｄ  折り返しリブ部
２１  防音ケースユニット
２２  排気出口
２３  支持ゴム前
２４  支持ゴム後
２５  支持リング
２６  支持板
２７  防音ケース
２７ａ  排気口
２７ｂ  穴部
２７ｃ  溝
２７ｄ  底面
２８  ツメ部
２９  ネジ
３０  配線部蓋体
３１  表示基板
３２  気密部材
３２ａ  基部
３２ｂ  突起
３２ｃ  薄板部
３３  配線部気密部材
１００  電気掃除機
【図１】
2015142625.tif 000003
【図２】
2015142625.tif 000004
【図３】
2015142625.tif 000005
【図４】
2015142625.tif 000006
【図５】
2015142625.tif 000007
【図６】
2015142625.tif 000008
【図７】
2015142625.tif 000009
【図８】
2015142625.tif 000010